(57)【要約】【課題】バックライトとして光源の種類を複数用いた場合であっても、色再現性を向上させることが可能な液晶表示装置を提供すること。【解決手段】温度検出回路により検出された温度値が予め設定された設定温度値Ｔ１より低い場合には、デューティ比を１００％として冷陰極蛍光管（ＣＦＬ）を点灯することにより、輝度を大きくする。そして、温度検出値が予め設定された設定温度値Ｔ１以上となった場合には、デューティ比をユーザが設定した値に変更しＣＦＬを点灯する。【選択図】図４
2007148095.tif 000002
【特許請求の範囲】
【請求項１】
液晶表示素子と、前記液晶表示素子の背面側に設けられたバックライトとを備えた液晶表示装置において、
前記バックライトは、第１光源と、当該第１光源とは異なる分光特性を有する第２光源とを有して構成されており、
前記第１光源に所定のデューティ比にて電圧を印加して当該第１光源の調光制御をする第１調光手段と、
前記第２光源に所定のデューティ比にて電圧を印加して、当該第２光源の調光制御をする第２調光手段と、
前記液晶表示装置内の温度を検出する温度検出手段と、
を備え、
前記温度検出手段により検出された温度が、予め設定された第１の温度以上となるまでには、前記第１調光手段は、第１光源にデューティ比１００％の電圧を印加することにより調光制御を行うことを特徴とする液晶表示装置。
【請求項２】
第１光源のデューティ比を設定するデューティ比設定手段を更に備え、
前記温度検出手段により検出された温度が、前記第１の温度以上となった場合には、前記デューティ比設定手段により設定されたデューティ比にて、前記第１光源に電圧を印加することにより、当該第１光源の調光制御をすることを特徴とする請求項１に記載の液晶表示装置。
【請求項３】
前記温度検出手段により検出された温度が、前記第１の温度以上となった後に、予め設定された第１の温度より低い第２の温度未満となった場合には、前記第１調光手段は、第１光源にデューティ比１００％の電圧を印加することにより調光制御を行うことを特徴とする請求項１又は２に記載の液晶表示装置。
【請求項４】
前記第１光源は冷陰極蛍光管で構成されており、前記第２光源は発光ダイオードで構成されていることを特徴とする請求項１から３のいずれかに記載の液晶表示装置。
【請求項５】
前記バックライトから照射される光のＲＧＢ値を検出するカラーセンサを備え、
前記第２調光手段は、前記カラーセンサの検出したＲＧＢ値に応じて、第２光源のデューティ比を決定し、調光制御を行うことを特徴とする請求項１から４のいずれか一項に記載の液晶表示装置。
【発明の詳細な説明】
【技術分野】
【０００１】
本発明は、液晶表示装置に関する。
【背景技術】
【０００２】
従来から、画像及び映像等を表示する表示装置の一つとして液晶を利用した液晶表示装置（ＬＣＤ：Liquid Crystal Display）が知られている。ＬＣＤは、コンピュータや、携帯電話、テレビ等の多くの表示装置として利用されている。液晶表示装置は、２枚のガラス板の間に特殊な液体を封入し、電圧をかけることによって液晶分子の向きを変え、光の透過率を増減させることで像を表示する。その際、液晶自体は発光しないため、例えば、液晶背面に冷陰極蛍光管（ＣＦＬ：Cathode Fluorescent Lamp）等の光源を備え、この光源がバックライトとして使用されている。
【０００３】
ここで、ＣＦＬはＲＧＢの３波長で構成されている光源であるが、ＣＦＬの出力（輝度）を上げると、各色の輝度が均等に上がってしまうために、特定の色のみを補正するといったことができなかった。
【０００４】
そこで、最近ではバックライトに２つの光源を利用するものが登場しつつある。例えば、ＣＦＬと併せて発光ダイオード（ＬＥＤ：Light Emitting Diode）を光源として同時に用いた構成のバックライト（以下、適宜「ハイブリッドバックライト」という）が用いられつつある（例えば、特許文献１参照）。具体的には、ＣＦＬの赤色を補うために、より長波長の赤色ＬＥＤを同時に用いることにより、色再現性を向上させている。
【特許文献１】特開２００４−１３９８７６号公報
【発明の開示】
【発明が解決しようとする課題】
【０００５】
しかし、上述したハイブリッドバックライトの構成の場合、以下のような問題点が生ずる。すなわち、ＣＦＬにおいて、起動時の発光量は設定したより低い発光量となってしまうことが知られている。したがって、利用者がバックライトの輝度を低く設定している場合、ＣＦＬの発光量は極端に状態となってしまう。このため、液晶全体のホワイトバランスを一定に保つために、赤色ＬＥＤの発光量を抑制する必要がある。しかし、そのためには発光量の影響を押さえる為に流す電流値（ＩF）を極端に小さくする必要があった。この場合、ＩＦが極端に小さい場合、ＬＥＤに提供される電流値が不十分となり、正常に点灯しないといった問題点が生じる場合があった。
【０００６】
特に約３０〜４０度付近の周辺温度をピーク輝度とする温度依存特性を有したＣＦＬは、使用環境が低温または始動時である場合の輝度が、バックライトが部品の熱等による温度上昇を経て安定した後の周辺温度における輝度よりも半分近く低い輝度で点灯することもある。したがって、このようなＣＦＬの特性に十分に応えるように設計されたＬＥＤには、要求される光量調整範囲がＣＦＬのそれよりも広範囲にならざるを得ない。しかしながら、ＬＥＤ素子には１素子当り約１．６〜１．８Ｖ程度の順電圧が供給されない限りは、十分な点灯特性を供給することができず、その調整範囲にも一定の限界があるため、正常に点灯されない。例えば、ＬＥＤが全く点灯しなかったり、ちらついてしまったり（フリッカが発生する）といった問題点が生じてしまった。
【０００７】
具体的に図８を用いて説明する。図８は、ＬＥＤを直列に６個接続している。通常、ＬＥＤを点灯させるためには、１つ辺りのＬＥＤを流れる電圧ＶFは１．６〜１．８［Ｖ］程度、ＬＥＤを流れる電流ＩFは５〜１０［ｍＡ］程度である。また、ＬＥＤに流れる電流を調整するために抵抗Ｒが直列に接続されている。ここでは、抵抗Ｒとして４３０［Ω］の抵抗を用いるものとして説明する。
【０００８】
図８において、全体の電圧として１４［Ｖ］が印加されているとき、ＬＥＤが６個接続されていることから、ＬＥＤ全体を流れる電圧ＶFは、１．６×６＝９．６［Ｖ］となる。したがって、電流ＩFは、（１４−９．６）／４３０≒１０［ｍＡ］となる。この場合、ＬＥＤは正常に点灯することとなる。
【０００９】
しかし、ＬＥＤの輝度を落とすために、電圧Ｖを１１［Ｖ］に変化させると、電流ＩFは、（１１−９．６）／４３０≒３［ｍＡ］と急激に電流が少なくなり、ＬＥＤは正常に点灯することが出来ない。
【００１０】
このように、ＬＥＤを直列に接続したバックライトを用いる場合には、電圧を調整するだけでは調光を行うことが出来ないという特有の問題が生じていた。
【００１１】
そこで、上述した課題に鑑み、本発明が目的とするところは、バックライトとして光源の種類を複数用いた場合であっても、色再現性を向上させることが可能な液晶表示装置を提供することである。
【課題を解決するための手段】
【００１２】
上記の課題を解決するために、第１の発明の液晶表示装置は、液晶表示素子と、前記液晶表示素子の背面側に設けられたバックライトとを備えた液晶表示装置において、前記バックライトは、第１光源と、当該第１光源とは異なる分光特性を有する第２光源とを有して構成されており、前記第１光源に所定のデューティ比にて電圧を印加して、当該第１光源の調光制御をする第１調光手段と、前記第２光源に所定のデューティ比にて電圧を印加して、当該第２光源の調光制御をする第２調光手段と、前記液晶表示装置内の温度を検出する温度検出手段と、を備え、前記温度検出手段により検出された温度が、予め設定された第１の温度以上となるまでには、前記第１調光手段は、第１光源にデューティ比１００％の電圧を印加することにより調光を行うことを特徴とする。
【００１３】
また、第２の発明は、第１の発明の液晶表示装置において、第１光源のデューティ比を設定するデューティ比設定手段を更に備え、前記温度検出手段により検出された温度が、前記第１の温度以上となった場合には、前記デューティ比設定手段により設定されたデューティ比にて、前記第１光源に電圧を印加することにより、当該第１光源の調光制御をすることを特徴とする。
【００１４】
また、第３の発明は、第１又は第２の発明の液晶表示装置において、前記温度検出手段により検出された温度が、前記第１の温度以上となった場合に、予め設定された第１の温度より低い第２の温度未満となった場合には、前記第１調光手段は、第１光源にデューティ比１００％の電圧を印加することにより調光制御を行うことを特徴とする。
【００１５】
また、第４の発明は、第１から第３の発明のいずれかの液晶表示装置において、前記第１光源は冷陰極蛍光管で構成されており、前記第２光源は発光ダイオードで構成されていることを特徴とする。
【００１６】
また、第５の発明は、第１から第４の発明のいずれかの液晶表示装置において、前記バックライトから照射される光のＲＧＢ値を検出するカラーセンサを更に備え、前記第２調光手段は、前記カラーセンサの検出したＲＧＢ値に応じて、第２光源のデューティ比を決定し、調光制御をすることを特徴とする。
【発明の効果】
【００１７】
第１の発明によれば、液晶表示装置内の温度が予め設定された温度以上となるまでは、第１光源にデューティ比１００％の電圧を印加することにより調光制御を行うことができる。例えば、第１光源に冷陰極蛍光管を用いた場合に、冷陰極蛍光管は起動時（低温時）に輝度が低いが、デューティ比を１００％とすることにより、輝度を高くすることができ、液晶表示装置全体の表示をバランス良いものとすることが出来るようになる。
【００１８】
第２の発明によれば、検出された温度が予め設定された第１の温度以上となった場合には、設定されたデューティ比に対応して調光制御が行われることとなる。したがって、第１の温度以上となった場合には、利用者が設定している輝度に調整されることとなり、例えば消費電力を抑えることとなる。
【００１９】
第３の発明によれば、第１の温度以上となった後に、予め設定された第１の温度より低い第２の温度未満となった場合には、デューティ比１００％として調光制御されることとなる。したがって、再び第１の温度以下となった場合であっても、デューティ比を１００％に調光制御することにより、適切な輝度が確保できる温度に調整されるこことなる。
【００２０】
第４の発明によれば、第１光源は冷陰極蛍光管（ＣＦＬ）であり、第２光源は発光ダイオード（ＬＥＤ）で構成されることとなる。したがって、温度変化の大きい冷陰極蛍光管と、電圧変化に影響しやすい発光ダイオードを組み合わせてハイブリッドバックライトを用いた液晶表示装置においても、適切な輝度を確保することが可能となる。
【００２１】
第５の発明によれば、バックライトから照射される光のＲＧＢ値を検出し、当該検出された値に応じて第２光源のデューティ比が決定され、調光制御されることとなる。したがって、バックライトのホワイトバランスが適切に設定されることとなる。
【発明を実施するための最良の形態】
【００２２】
続いて、本発明の液晶表示装置を液晶テレビに適用した場合における実施形態について図面を参照して説明する。
【００２３】
［構成］
図１は、液晶テレビ１の構成を示したブロック図である。液晶テレビ１は、受信回路１０と、セレクタ回路１２と、デコーダ回路１４と、映像処理回路１６と、ＬＣＤ１８と、温度検出回路（サーミスタ）４０、インバータ（ＩＮＶ）回路４２と、ＬＥＤ駆動回路４４と、制御部５０と、記憶部６０と、入力部７０とを備えており、外部アンテナＡＮＴが接続されている。
【００２４】
また、ＬＣＤ１８は、液晶パネル２０及びバックライト３０が一体にハウジングして構成されているものであり、さらに液晶パネル２０から照射されるバックライトの光に基づいてＲＧＢ値を検出するカラーセンサ２２を備えている。また、バックライト３０は、光源としてＣＦＬ３２と、ＬＥＤ３４とを備えている。
【００２５】
受信回路１０は、外部アンテナＡＮＴから入力された受信信号から、放送信号を抽出しセレクタ回路１２に出力する。そして、セレクタ回路１２は、ユーザにより選局されたチャンネルに対応する放送信号を選択し、デコーダ回路１４に出力する。デコーダ回路１４は、入力された放送信号から映像信号をデコードし、映像処理回路１６に出力する。
【００２６】
映像処理回路１６は、入力された映像信号に各種映像処理を施し、ＬＣＤ１８に出力する。ここで、映像処理とは種々の処理が考えられるが、例えば、「明るさ」や「色合い」等を利用者が設定し、当該設定した値に基づいて映像処理を施す処理を行う。そして、ＬＣＤ１８は、入力された映像信号に基づいて映像を表示することにより、利用者は受信された放送を視認することができる。
【００２７】
ＬＣＤ１８は、液晶パネル２０及びバックライト３０により構成されており、例えば液晶パネル２０の背面側にバックライト３０が配置され、一体となり構成されている。そして、バックライト３０から照射された光が液晶パネル２０を透過することにより利用者に映像等を視認させることとなる。
【００２８】
液晶パネル２０は、例えば２枚のガラス板の中に液晶を封入したものからなり、外側は金属板等からなる箱体に包まれている。液晶パネル２０の下ガラス板表面上に、複数のソース電極と、複数のゲート電極が行列状に形成され、画素毎に各ＴＦＴが形成されている。また、液晶パネル２０は、液晶パネル２０の液晶を介して透過されるバックライト３０から照射された光のＲＧＢ値を検出するためのカラーセンサ２２を備えている、ここで、バックライト３０の光源には、冷陰極蛍光管ＣＦＬ３２と、発光ダイオードＬＥＤ３４とが用いられている。
【００２９】
ＣＦＬ３２は、例えば冷陰極蛍光管等から構成されており、ＲＧＢの波長の光を出力するものである。制御部５０から入力されるＩＮＶ出力制御信号Ｓ１に基づいて、ＩＮＶ回路４２がＰＷＭ（Pulse Width Modulation：パルス幅階調）調光によりＣＦＬ３２を点灯し、調光制御を行う。ここで、ＰＷＭ調光とは、ＣＦＬ３２を駆動する回路であるＩＮＶ回路４２に所定周波数の矩形波パルス状電圧を印加し、当該パルス状電圧のデューティ比を制御することにより発光量を調節する調光方法である。デューティ比が１００％のときは、ＬＣＤ１８（バックライト３０）の輝度は最大となる。
【００３０】
ＬＥＤ３４は、例えば発光ダイオード等から構成されており、ここでは赤色発光ダイオードが用いられている。赤色発光ダイオードからは、ＣＦＬ３２から出力される赤色の波長より長波長の赤色の光が出力されている。制御部５０から入力されるＬＥＤ出力制御信号Ｓ２に基づいて、ＬＥＤ駆動回路４４が電流調光方式によりＬＥＤ３４を点灯し、調光する制御を行う。ここで、電流調光方式とは、ＬＥＤ駆動回路４４が、入力されたＬＥＤ出力制御信号に基づいて、ＬＥＤ３４に出力する電流の大きさを変化することにより、ＬＥＤの明るさを変化させる調光方式である。
【００３１】
図２は、バックライト３０と、ＩＮＶ回路４２と、ＬＥＤ駆動回路４４とを示した図である。バックライト３０は、ＣＦＬ３２がＩＮＶ回路３２に並列にそれぞれ接続され、等間隔において平行に配置されている。またＬＥＤ３４は、複数のＬＥＤ（本図では６個）が直列に接続されており（このＬＥＤが直列されている状態（例えば、図２におけるＺ１〜Ｚ６まで）をＬＥＤ列という）、抵抗Ｒを介してＬＥＤ駆動回路４４の分周回路４４４に接続されている。ここで、分周回路４４４は、並列に接続されている各ＬＥＤ列に均等に電流を出力する回路である。ここで、出力する電流の大きさは、調光回路４４２が決定するものである。調光回路４４２は、制御部５０から入力されるバックライト輝度情報及び各ＬＥＤ列からフィードバックされる信号に基づいて決定し、出力する。
【００３２】
温度検出回路４０は、液晶テレビ１内の温度を計測するためのセンサー回路である。例えば、サーミスタ等から構成されており、随時液晶テレビ１内の温度を検出し、温度検出値Ｔとして制御部５０に出力する。温度を検出する場所は種々の場所が考えられるが、本実施形態においては、バックライトの温度を検出することとして説明する。なお、例えば制御基盤の温度であったり、液晶テレビ１の筐体内部の温度であったりしても良いことは勿論である。
【００３３】
制御部５０は、入力される指示に応じて所定のプログラムに基づいた処理を実行し、各機能部への指示やデータの転送を行う。具体的には、制御部５０は、液晶テレビ１の各回路、各機能部を制御する。ここで、制御部５０は、例えばＣＰＵ(Central Processing Unit)等により構成されている。
【００３４】
記憶部６０は、制御部５０が実行する各種処理や、これらのプログラムの実行にかかるデータ等を一時的に保持する随時書き込み可能なメモリである。記憶部６０には、映像調整設定情報６２が記憶されている。また、記憶部６０は、例えば、ＲＡＭ（Random Access Memory）や、メモリーカード、ＨＤＤ等から構成されている。
【００３５】
図３は、記憶部６０に記憶される映像調整設定情報６２の一例を示した図である。映像調整設定情報６２は、それぞれの設定項目（例えば、「明るさ」）に対応する設定値（例えば、「＋１６」）が記憶されている。なお、設定値はユーザにより設定される値である。
【００３６】
図７は、映像調整設定情報を設定する場合の表示画面例を示した図である。ＬＣＤ１８の表示画面Ｌ１００には、映像調整設定情報を設定するためのウィンドウＷ１００が表示されている。そして、ユーザにより各設定値が入力・変更され登録されると、映像調整設定情報６２として記憶部６０に記憶される。一例として、図７の領域Ｋ１００を参照すると、明るさとして「＋１６」が記憶されている。明るさは、「−１６」から「＋１６」までの段階に分かれており、「−１６」が設定されるとデューティ比で「０％」が、「＋１６」が設定されると「＋１００％」が設定されることとなる。
【００３７】
入力部７０は、ユーザから操作の指示入力に必要なキー群を備えた入力装置であり、押下されたキーの信号を制御部５０に出力する。この入力部７０におけるキー入力により、例えば映像調整設定情報の変更等を行うことができる。
【００３８】
［動作］
続いて本実施形態における液晶テレビ１の動作について説明する。図４は、本実施形態のバックライトの制御処理を説明するためのフロー図である。このバックライトの制御処理は、制御部５０が、各回路部を制御することにより、ハードウェアにおいて実現される処理である。
【００３９】
まず、電源が投入されると、バックライト点灯制御処理が実行される（ステップＳ１０）。具体的には、制御部５０からＩＮＶ出力制御信号Ｓ１がＩＮＶ回路４２に出力される。そして、ＩＮＶ回路４２の制御によりＣＦＬ３２が点灯する。また、制御部５０からＬＥＤ出力制御信号Ｓ２がＬＥＤ駆動回路４４に出力される。そして、ＬＥＤ駆動回路４４の制御によりＬＥＤ３４が点灯する。
【００４０】
ここで、制御部５０は温度検出回路４０から入力された温度検出値Ｔと、予め設定された設定温度値Ｔ１とを比較する（ステップＳ１２）。ここで温度検出値Ｔが、設定温度値Ｔ１より小さい場合には（ステップＳ１２；Ｙｅｓ）、ＣＦＬデューティ比を１００％とする（ステップＳ２０）。ＩＮＶ回路４２は、デューティ比１００％（最大輝度）としてＣＦＬ３２を点灯する。
【００４１】
続いて、制御部５０は、赤色のＬＥＤ３４を調光する（ステップＳ２２）。ここで、ＬＥＤ３４を調光するには、例えばカラーセンサ２２から液晶パネル２０におけるＲＧＢ値を検出する。そして、検出されたＲＧＢ値に基づき、ＬＥＤ３４（赤色ＬＥＤ）の調光デューティ比を決定する。
【００４２】
そして、制御部５０は、決定された調光デューティ比に基づいたＬＥＤ出力制御信号Ｓ２をＬＥＤ３４に出力する。ＬＥＤ３４は、入力されたＬＥＤ出力制御信号に基づいてＬＥＤを出力する。
【００４３】
具体的に、図５を用いて赤色ＬＥＤを調光する動作について簡単に説明する。（赤色）ＬＥＤに流れる電流ＩＦは「電流検出抵抗Ｒの両端に発生する電圧Ａ＋制御回路からのＬＥＤ駆動デューティ比での電圧Ｂ」を監視し、「ＯＰＡＭＰ１（オペアンプ）の電圧Ｖ＋端子電話津（Ｖｒｅｆ：２Ｖ）」と比較し、誤差分はＯＰＡＭＰ１からＰＷＭ比較器に入力される。ＰＷＭ比較器にて、ＣＳ端子電圧（３Ｖ）とＯＰＡＭＰ１出力電圧（ＦＢ電圧）とを比較し、電圧の低い側で発信器出力の三角波をスライスし、スイッチングのＬＥＤ駆動用オンデューティ比をＰＷＭ制御することにより、（赤色）ＬＥＤ駆動用の電流ＩＦを安定制御する。したがって、ＯＰＡＭＰ１のＶ−端子とＶ＋端子は常に同電位になるようにＯＰＡＭＰ出力端子（ＦＢ電圧）は動作することとなる。
【００４４】
ここで、赤ＬＥＤ点灯時のＯＰＡＭＰ１のＶ−端子を２Ｖにしようと、ＯＰＡＭＰ１出力端子（ＦＢ電圧）が上昇しＬＥＤ駆動用オンデューティ比を拡大し赤ＬＥＤ電流ＩＦを増加させるように動作する。ＬＥＤ電流ＩＦが流れ始めるとＶ−端子の電圧が上がることとなる。また、Ｖ−端子が２Ｖを超えようとすると、ＯＰＡＭＰ１は負帰還制御としてＯＰＡＭＰ１の出力電圧（ＦＢ電圧）を下げるようＯＰＡＭＰ負帰還抵抗から電流を引き込み始めることとなる。
【００４５】
ＯＰＡＭＰ１の出力電圧（ＦＢ電圧）が下がりＬＥＤ駆動用オンデューティ比が小さく制御されると、ＬＥＤ電流ＩＦが低下しＶ−端子は２Ｖと同じ電位に制御され安定動作になる。ＬＥＤの電流調光は、制御回路からのＬＥＤデューティ比で制御される電圧Ｂの電圧を増減させることで、ＬＥＤの電流ＩＦは、「（２Ｖ−電圧Ｂ）／電流検出抵抗Ｒ」によってＬＥＤの電流ＩＦを制御する。制御部５０からのＬＥＤデューティ比を１００％にする制御があった場合、電圧Ｂを最小にすることで、電圧Ａが最大になりＬＥＤの電流ＩＦが最大となる。また、制御部５０からのＬＥＤデューティ比を０％にする制御があった場合電圧Ｂを最大にすることで、電圧Ａが最小になりＬＥＤの電流ＩＦが最小になる。
【００４６】
上述したように、ＣＦＬのデューティ比を１００％とすることにより、ＬＥＤ３４の輝度を極端に下げることが無くなり、安定してＬＥＤ３４を点灯させることが出来るようになる。
【００４７】
他方、温度検出値Ｔが設定温度値Ｔ１以上の場合には（ステップＳ１２；Ｎｏ）、ＣＦＬデューティ比をユーザ設定値として調光する（ステップＳ１４）。ここで、ユーザ設定値としては、記憶部６０の映像調整設定情報６２から「明るさ」を読み出し、当該明るさに対応するデューティ比を決定する。そして、制御部５０は、決定されたデューティ比に対応するＩＮＶ出力制御信号Ｓ１をＩＮＶ回路４２に出力する。ＩＮ回路４２は、入力されたデューティ比に基づいて、ＣＦＬ３２を点灯する。そして、ステップＳ２２と同様に赤色のＬＥＤ３４を調光する（ステップＳ１６）。
【００４８】
続いて、温度検出値Ｔと、あらかじめ記憶されている設定温度値Ｔ２とを比較する（ステップＳ１８）。
【００４９】
ここで、温度検出値Ｔが、設定温度値Ｔ２以上である場合はステップＳ１４から同様の処理を繰り返し実行する（ステップＳ１８；Ｎｏ→ステップＳ１４）。また、温度検出値Ｔが、設定温度値Ｔ２より小さくなった場合には、ステップＳ２０に処理が移行する（ステップＳ１８；Ｙｅｓ→ステップＳ２０）。すなわち、この場合はＣＦＬデューティ比を再び１００％として調光することとなる。
【００５０】
図６は、本実施形態における液晶テレビ１の温度変化と時間との関係を示したグラフである。図６のグラフは、縦軸が温度検出値（バックライトの温度：℃）を、横軸が時間（秒）を示している。
【００５１】
まず、時間「０」秒から、バックライトの温度が設定温度値Ｔ１未満であるため、ＣＦＬ発光量はデューティ比１００％として出力される。続いて、時刻「ｔ１０」秒になると、バックライトの温度がＴ１に達する。ここで、ＣＦＬ発光量はデューティ比が利用者の設定した値となる。次に、しばらく時間が経過し、時刻「ｔ１２」になると、バックライトの温度が設定温度値Ｔ２未満となる。ここで、再度ＣＦＬ発光量はデューティ比１００％として出力される。そして、時刻「ｔ１４」秒において、バックライトの設定温度が「Ｔ１」を超えることから、ＣＦＬの発光量はデューティ比が利用者の設定した値となる。
【００５２】
このように、時間が経過すると、バックライトの温度はＴ１からＴ２の間に収束していくこととなり、ＬＥＤの発光に併せてＣＦＬが点灯することとなり、より再現性の高い色を表現することができる。
【００５３】
なお、ＣＦＬ発光量が変化するとき、例えば時刻「ｔ１０」において、ＣＦＬ発光量のデューティ比が１００％から設定値に変化する場合には、急峻に変化させず、段階的に変化させる制御をすることとしても良い。段階的に発光量を変化させることにより、利用者に気づかれることなく、ＣＦＬの発光量を調整することが可能となる。
【００５４】
［作用・効果］
したがって、本発明を適用することにより、例えば低温始動時におけるＣＦＬの輝度が低い環境においても、ＣＦＬ光源の明るさに応じたＬＥＤの発光量を確実に制御できるため、光源の可ある差の変化によるバックライトの発光色のずれを抑制することが可能となる。したがって、ＬＥＤの光量調整範囲をＣＦＬが発光可能な光量の全範囲に併せて設計する必要が無くなり、ＬＥＤに流れる電流が少ない場合に生じるフリッカ等を解消することが可能となる。
【００５５】
また、ＬＥＤが直列に多く接続されるハイブリッドバックライトにおいて、電圧値の変化を極力抑えることにより、ＬＥＤ全体に流れる電流値が安定するため、より大きな効果が期待できる。
【００５６】
［変形例］
上述した各実施形態では、液晶テレビを適用例として説明したが、本発明の液晶表示装置は、このような製品に限定されるものではなく、液晶を表示装置として用いている製品であれば適用可能なことは勿論である。例えば、携帯電話、パソコン、ＰＤＡ（Personal Digital Assistants）、液晶モニタ、カーナビゲーション等の各種機器に適用可能である。
【００５７】
また、本実施においては、温度検出値Ｔと、設定温度値Ｔ１及びＴ２と比較することとして説明しているが、設定温度値Ｔ１とだけ比較することとしてもよい。具体的には、図４の動作フローにおいて、ステップＳ１６の処理終了後ステップＳ１４から繰り返し処理を実行することとしても良い。これは、通常の使用環境では、バックライトの温度は上昇することはあっても、点灯中に下降することは考えにくいためである。
【図面の簡単な説明】
【００５８】
【図１】本発明を適用した液晶テレビのブロック図。
【図２】ＬＣＤの構造を示した図。
【図３】映像調整設定情報の一例を示した図。
【図４】バックライト制御処理の動作フローを示した図。
【図５】ＬＥＤの調光制御について説明する為の図。
【図６】バックライトの温度と時間との関係を示した図。
【図７】映像調整設定情報の画面例を示した図。
【図８】ＬＥＤの接続状況を示した図。
【符号の説明】
【００５９】
１  液晶表示装置
１０  受信回路
１２  セレクタ回路
１４  デコーダ回路
１６  映像処理回路
１８  ＬＣＤ
２０  液晶パネル
２２  カラーセンサ
３０  バックライト
３２  ＣＦＬ
３４  ＬＥＤ
４０  温度検出回路
４２  ＩＮＶ回路
４４  ＬＥＤ駆動回路
５０  制御部
６０  記憶部
６２  映像調整設定情報
７０  入力部
【図１】
2007148095.tif 000003
【図２】
2007148095.tif 000004
【図３】
2007148095.tif 000005
【図４】
2007148095.tif 000006
【図５】
2007148095.tif 000007
【図６】
2007148095.tif 000008
【図７】
2007148095.tif 000009
【図８】
2007148095.tif 000010